(57)【要約】 【課題】台風時等に発生する高波に際して、波浪が堤防を越えない様にその高さを嵩上げすることが出来るようにした新規の堤防の提供を図る。【解決手段】  高さの異なる嵩上げ用第１隔壁ブロック１ｂと嵩上げ用第２隔壁ブロック１ｃとを堤防に対する所要の載置安定部材を隔てて上下方向に形成した嵩上げ用ブロックパネル１を具え、堤防２の上面に長さ方向に沿って嵩上げ用スリット２ａを設け、嵩上げ用ブロックパネル１はその嵩上げ用第１隔壁ブロック１ｂと嵩上げ用第２隔壁ブロック１ｃの何れか一方を嵩上げ用スリット２ａ内に挿し込むことにより、他方の隔壁ブロックが起立状態での安定化が図られるように構成した嵩上げ機能を具えた堤防。【選択図】  図１
2015031068.tif 000002
【特許請求の範囲】
【請求項１】
高さの異なる嵩上げ用第１隔壁ブロック(１ｂ)と嵩上げ用第２隔壁ブロック(１ｃ)とを堤防に対する所要の載置安定部材を隔てて上下方向に形成した嵩上げ用ブロックパネル(１)を具え、堤防(２)の上面に長さ方向に沿って嵩上げ用スリット(２ａ)を設け、嵩上げ用ブロックパネル(１)はその嵩上げ用第１隔壁ブロック(１ｂ)と嵩上げ用第２隔壁ブロック(１ｃ)の何れか一方を嵩上げ用スリット(２ａ)内に挿し込むことにより、他方の隔壁ブロックが起立状態での安定化が図られるように構成した嵩上げ機能を具えた堤防。
【請求項２】
嵩上げ用ブロックパネル(１)の載置安定部材として、嵩上げ用第１隔壁ブロック(１ｂ)と嵩上げ用第２ブロック(１ｃ)の隣接部に鍔状ブロック(１ａ)を形成すると共に、当該鍔状ブロック(１ａ)に対する嵌合用幅広凹窪部(２ｂ)を嵩上げ用スリット（２ａ）の開口部に形成した請求項１に記載の嵩上げ機能を具えた堤防。
【請求項３】
嵩上げ用スリット（２）の上面は適宜な蓋体（３）で閉じておくことが出来るように構成した請求項１または請求項２の何れかに記載の嵩上げ機能を具えた堤防。
【請求項４】
高さの異なる嵩上げ用第１隔壁ブロック（１ｂ）と嵩上げ用第２ブロック（１ｃ）とを堤防に対する所要の載置安定部材を隔てて上下方向に形成した嵩上げ用ブロックパネル（１）を、中空状に形成した請求項１乃至請求項３の何れかに記載の嵩上げ機能を具えた堤防。
【請求項５】
堤防（２）の嵩上げ用スリットとして、鞘状の部材（２０ａ）を堤防に埋設するように構成した請求項１乃至請求項４の何れかに記載の嵩上げ機能を具えた堤防。
【請求項６】
嵩上げ用ブロックパネル（１）は各障壁ブロックの高さの異なるものを組み合わせて複数種類用意して、これをセットとして管理するように構成した嵩上げ機能を具えた堤防。
【発明の詳細な説明】
【技術分野】
【０００１】
本発明は、台風時等に発生する高波に際して、波浪が堤防を越えない様にその高さを嵩上げすることが出来るようにした堤防に関する。
【背景技術】
【０００２】
水害時などに河川、湖沼などの氾濫を防ぐために麻袋等の丈夫な袋に土砂等の充填物を入れた土嚢を積み上げて堤防を嵩上げして決壊を防止することが昔から行われている。  然し乍、土嚢の充填物である土壌を緊急事態時に即座に用意することは、現代においては殆ど不可能である。
【０００３】
そこで、土嚢を用いない方式として、堤防の嵩上げを所定の形状に形成した土木資材を用いる様に構成したものがある（例えば特許文献１及び特許文献２参照。）。  これは本願と同一の発明者及び同一出願人に係るものである。  そして、所定の形状に形成されている土木資材を、決壊が予想される堤防の上面に組み込むようにしたものである。
【先行技術文献】
【特許文献】
【０００４】
【特許文献１】特開２０１１−４２９８２号公報
【特許文献２】特開２０１０−１１１９９３号公報
【発明の概要】
【発明が解決しようとする課題】
【０００５】
上述したような土木資材を組み込むようにしたものであると、堤防の決壊が予想される時にその組立作業上の迅速対応性の点においてやや欠けることがある。  そして、その嵩上げ高さは定まったものに限定され、これの調節を行うことは通常は出来なかった。
【０００６】
本発明はこのような従来の問題を排し、最低限高低２段階の嵩上げ作業が瞬時に達成可能とするように構成した新規の堤防の提供を図ったものである。
【課題を解決するための手段】
【０００７】
本発明は請求項１に記載のように、高さの異なる嵩上げ用第１隔壁ブロック１ｂと嵩上げ用第２隔壁ブロック１ｃとを堤防に対する所要の載置安定部材を隔てて上下方向に形成した嵩上げ用ブロックパネル１を具え、堤防２の上面に長さ方向に沿って嵩上げ用スリット２ａを設け、嵩上げ用ブロックパネル１はその嵩上げ用第１隔壁ブロック１ｂと嵩上げ用第２隔壁ブロック１ｃの何れか一方を嵩上げ用スリット２ａ内に挿し込むことにより、他方の隔壁ブロックが起立状態での安定化が図られるように構成した嵩上げ機能を具えた堤防に係る。
【０００８】
本発明は請求項２に記載のように、嵩上げ用ブロックパネル１の載置安定部材として、嵩上げ用第１隔壁ブロック１ｂと嵩上げ用第２ブロック１ｃの隣接部に鍔状ブロック１ａを形成すると共に、当該鍔状ブロック１ａに対する嵌合用幅広凹窪部を嵩上げ用スリット２ａの開口部に形成した請求項１に記載の嵩上げ機能を具えた堤防を実施の態様とする。
【０００９】
本発明は請求項３に記載のように、嵩上げ用スリット２の上面は適宜な蓋体３で閉じておくことが出来るように構成した請求項１または請求項２の何れかに記載の嵩上げ機能を具えた堤防を実施の態様とする。
【００１０】
本発明は請求項４に記載のように、高さの異なる嵩上げ用第１隔壁ブロック１ｂと嵩上げ用第２ブロック１ｃとを堤防に対する所要の載置安定部材を隔てて上下方向に形成した嵩上げ用ブロックパネル１を、中空状に形成した請求項１乃至請求項３の何れかに記載の嵩上げ機能を具えた堤防を実施の態様とする。
【００１１】
本発明は請求項５に記載のように、堤防２の嵩上げ用スリットとして、鞘状の部材２０ａを堤防に埋設するように構成した請求項１乃至請求項４の何れかに記載の嵩上げ機能を具えた堤防を実施の態様とする。
【００１２】
本発明は請求項６に記載のように、嵩上げ用ブロックパネル１は各障壁ブロックの高さの異なるものを組み合わせて複数種類用意して、これをセットとして管理するように構成した嵩上げ機能を具えた堤防を実施の態様とする。
【発明の効果】
【００１３】
本発明は請求項１に記載のような構成、すなわち、高さの異なる嵩上げ用第１隔壁ブロック１ｂと嵩上げ用第２隔壁ブロック１ｃとを堤防に対する所要の載置安定部材を隔てて上下方向に形成した嵩上げ用ブロックパネル１を具え、堤防２の上面に長さ方向に沿って嵩上げ用スリット２ａを設け、嵩上げ用ブロックパネル１はその嵩上げ用第１隔壁ブロック１ｂと嵩上げ用第２隔壁ブロック１ｃの何れか一方を嵩上げ用スリット２ａ内に挿し込むことにより、他方の隔壁ブロックが起立状態での安定化が図られるように構成したから、嵩上げしない状態、そして、例えばやや丈高とする嵩上げ並びに著しく丈高とする嵩上げ、への転化が極めて容易かつ迅速に果たすことが出来る。
従って、天気予報のデータに基づきこれに適した対応を果たすことが出来る。  
【００１４】
本発明は請求項２に記載のような構成、すなわち、嵩上げ用ブロックパネル１の載置安定部材として、嵩上げ用第１隔壁ブロック１ｂと嵩上げ用第２ブロック１ｃの隣接部に鍔状ブロック１ａを形成すると共に、当該鍔状ブロック１ａに対する嵌合用幅広凹窪部を嵩上げ用スリット２ａの開口部に形成することにより、その切り替えは嵩上げ用ブロックパネル１の単なる差し替え的な載置で達成されから、例えばボルト締め等を要する場合に比として、様作業の容易性は著しいものとされる。
【００１５】
本発明は請求項３に記載のような構成、すなわち、嵩上げ用スリット２の上面は適宜な蓋体３で閉じておくことが出来るように構成することにより、当該スリット内に対する雨水が溜まったり土砂が入り込んだりすることを防止できる。
【００１６】
本発明は請求項４に記載のような構成、すなわち、高さの異なる嵩上げ用第１隔壁ブロック１ｂと嵩上げ用第２ブロック１ｃとを堤防に対する所要の載置安定部材を隔てて上下方向に形成した嵩上げ用ブロックパネル１を、中空状に形成することに依り、嵩上げ用ブロックパネルの著しい軽量化と製造コストの低廉化が図られることとなり、当該軽量化は作業の容易性迅速性に大きく貢献することとなる。
【００１７】
本発明は請求項５に記載のような構成、すなわち、堤防２の嵩上げ用スリットとして、鞘状の部材２０ａを堤防に埋設するように構成することにより、嵩上げ用ス率と部分の製造の容易化と、寸法的な正確性確保が果たされることとなる。
【００１８】
本発明は請求項６に記載のような構成、すなわち、嵩上げ用ブロックパネル１は各障壁ブロックの高さの異なるものを組み合わせて複数種類用意して、これをセットとして管理するように構成することにより、高波に対するきめの細かい嵩上げ高さの選定が果たされることとなる。
【図面の簡単な説明】
【００１９】
【図１】本発明の要旨部材とする嵩上げ用ブロックパネル１を表した斜視図である。
【図２】堤防の横断面図である。
【図３】丈低な嵩上げ状態を表した横断面図である。
【図４】同上縦断面図である。
【図５】丈高な嵩上げ状態を表した横断面図である。
【図６】本発明の他の実施例を表した横断面図である。
【発明を実施するための形態】
【００２０】
本発明は近代の天気予報がもたらす情報の正確性に着眼して発明したものである。  すなわち、例えば台風情報を例に採ると、その発生から進路及び規模に関して刻々と情報が提供されている。  従って、台風の進路に当たる地域においては、何時頃どの程度の規模の台風が押し寄せるか、また、発生する高波の大きさもある程度予想されるものである。
【００２１】
本発明は台風予想地域の堤防に対して、どの程度の高さの高波が押し寄せるかを予め推定しておき、それに見合う高さの嵩上げを前もって行っておくことが出来るようなシステムを採ることを可能とするような堤防の提供を図り、以て、台風に対する適切かつ合理的なる堤防管理が成されるようにしたものである。
【００２２】
図において、１は本発明の要旨部材たる嵩上げ用ブロックパネルであって、後記堤防に対する載置用たる鍔状ブロック１ａを隔てて、高さの異なる嵩上げ用第１隔壁ブロック１ｂと嵩上げ用第２ブロック１ｃとが上下方向に同一平面的に形成してある（図１参照）。
【００２３】
２は堤防であって、その上面には長さ方向に沿って嵩上げ用スリット２ａが設けられている。  そして、当該スリット２ａは、前述した嵩上げ用ブロックパネル１の最長とする隔壁ブロック部分が挿し込まれて充分収容できる程度の深さを具えていると共に、その上端開口部は、嵩上げ用ブロックパネル１の鍔状ブロック１ａ部分を嵌合させて載置安定化するための嵌合用幅広凹窪部２ｂが形成されている。
【００２４】
上記堤防２であるが、通常は図２に示すような形態を常態とし、その嵩上げ用スリット２の上面は適宜な蓋体３で閉じておくことにより、雨水等の侵入を阻止するようになっている。そして、嵩上げ用ブロックパネル１は倉庫等に収容して待機状態に保っておく。
【００２５】
大型台風の来襲が予想され、発生する高波が堤防２の既設高さを超える心配がある場合は、嵩上げ用ブロックパネル１における            丈高の方の隔壁ブロック１ｃを、堤防２の嵩上げ用スリット２内に差し込むことにより、その丈低な隔壁ブロック１ｂ部分を堤防上に立設する。  この時、鍔状ブロック１ａ部分が嵌合用幅広凹窪部２ｂ内に合致してその安定化が図られる。  このような作業を図４に示すように、堤防の必要部分、通常は堤防の全長に亘って所要枚数の嵩上げ用ブロックパネル１を取付けることにより、堤防の嵩上げ作業は完了する。
【００２６】
予想台風が大型で、発生する高波も極めて大きいと予想される場合は、上記した嵩上げ用ブロックパネル１の取付けを上下逆転させて丈高な隔壁ブロック１ｃ部分を堤防上に立設する。  これにより、堤防２は図５に示すように丈高な隔壁ブロック１ｃによる嵩上げが成され、大きな高波に対する対応状態に転化される。
【００２７】
図６は本発明の他の実施例を表したものであって、嵩上げ用ブロックパネルを中空状のもの１０とすることにより、軽量化を図ると同時に、製造の低コスト化が図られる。
【００２８】
また、堤防２の嵩上げ用スリットとして、図示のような鞘状の部材２０ａを用い、これを堤防２に埋設するように構成することにより、当該部分の製造の容易性及び強靭化を図ることが出来る。  これは嵩上げ用ブロックパネルを中空状のものとするか否かとは無関係に実施可能とされるものである。
【００２９】
ところで、図面においては堤防に対して一種類の嵩上げ用ブロックパネル１を所要枚数準備して一つのセットとするように構成してある。    然し乍、当該嵩上げ用ブロックパネル１は各障壁ブロックの高さの異なるものを組み合わせて複数種類用意して、これをセットとして管理することにより、高波に対するきめの細かい嵩上げ高さの選定が成される。  本発明はこのような形態で実施する場合もある。
【符号の説明】
【００３０】
１  嵩上げ用ブロックパネル
1a  鍔状ブロック
1b  嵩上げ用第１隔壁ブロック
1c  嵩上げ用第２隔壁ブロック
２  堤防
2a  嵩上げ用スリット
2b  嵌合用幅広凹窪部
20a 鞘状の部材
【図１】
2015031068.tif 000003
【図２】
2015031068.tif 000004
【図３】
2015031068.tif 000005
【図４】
2015031068.tif 000006
【図５】
2015031068.tif 000007
【図６】
2015031068.tif 000008